【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
電圧変成器の二次側に直列に接続された整流ダイオードに印加される電圧を入力し、当該電圧に対応する電圧信号を生成する電圧波形検出手段と、
前記電圧波形検出手段により生成された前記電圧信号の電圧値に基づいて、前記電圧変成器の一次側に入力される電圧値を算出する制御手段と、
を有することを特徴とするスイッチング電源。
【請求項２】
前記電圧波形検出手段は、
前記整流ダイオードに印加される電圧を入力して増幅する増幅回路と、
前記増幅回路の出力を保持する保持回路とを有することを特徴とする請求項１に記載のスイッチング電源。
【請求項３】
前記制御手段は、前記電圧信号の電圧値をＶvpとし、前記電圧変成器の一次側に入力される電圧値をＶinとすると、
Ｖin＝Ｎ1×Ｖvp／√２×αＮ2  （但し、Ｎ1，Ｎ2は前記電圧変成器の一次側巻数、二次側巻数、αは前記増幅回路のゲインである）
により算出することを特徴とする請求項２に記載のスイッチング電源。
【請求項４】
電圧変成器の二次側に直列に接続された整流ダイオードに印加される電圧を入力してクランプするクランプ回路と、
前記クランプ回路によりクランプされた電圧信号を入力して積分する積分回路と、
前記電圧変成器の一次側に入力される電圧値と、前記積分回路により積分された電圧信号の周期に基づいて、前記電圧変成器の一次側に入力される電流値を算出する第２制御手段とを更に有することを特徴とする請求項１に記載のスイッチング電源。
【請求項５】
前記第２制御手段は、前記電圧変成器の一次側に入力される電圧値をＶin、前記積分回路により積分された電圧信号の電圧値Ｖiin、前記クランプ回路によるクランプ電圧値Ｖzとすると、前記入力される電流値Ｉinを、
Ｉin＝√２Ｖin×ｔ2×Ｖiin2／２Ｌ1×β2Ｖz2  （但し、Ｌ1は前記電圧変成器の一次インダクタンス、βは前記積分回路のゲイン、ｔ2は前記電圧信号の周期である）
により算出することを特徴とする請求項４に記載のスイッチング電源。
【請求項６】
電圧変成器の二次側に直列に接続された整流ダイオードに印加される電圧のパルス幅を計測する計時手段と、
前記電圧変成器の二次側の出力電圧と、前記計時手段により計測された前記パルス幅とに基づいて、前記電圧変成器の二次側の出力電流値を算出する制御手段と、
を有することを特徴とするスイッチング電源。
【請求項７】
前記制御手段は、前記電圧変成器の二次インダクタンスＬ2、前記二次側の出力電圧Ｖout、前記パルス幅をｔ3、周期をｔ2としたとき前記出力電流値Ｉoutを、
Ｉout＝（Ｖout＋Ｖf）×ｔ32／２Ｌ2×ｔ2  （但し、Ｖfは前記整流ダイオードの順電圧である）
により算出することを特徴とする請求項６に記載のスイッチング電源。
【請求項８】
前記電圧波形検出手段は、前記整流ダイオードのアノードに印加される電圧の負のピーク電圧値を検出することを特徴とする請求項１乃至３のいずれか１項に記載のスイッチング電源。
【請求項９】
前記電圧波形検出手段は、前記整流ダイオードのアノードに印加される電圧の負のパルス幅を検出することを特徴とする請求項４又は５に記載のスイッチング電源。
【請求項１０】
前記計時手段は、前記整流ダイオードのアノードに印加される電圧の正のパルス幅を検出することを特徴とする請求項６に記載のスイッチング電源。
【請求項１１】
前記スイッチング電源は、フライバック方式で電力の変換を行うことを特徴とする請求項１乃至１０のいずれか１項に記載のスイッチング電源。
【請求項１２】
電子写真方式によって画像を形成する画像形成装置であって、
記録媒体上に形成されたトナー画像を熱によって定着させる定着ユニットと、
前記定着ユニットに電力を供給する定着用電源と、
画像形成動作を行うアクチュエータと、
前記アクチュエータに電力を供給するためのスイッチング電源と、
前記スイッチング電源に入力される電流値を求める演算手段と、
前記演算手段により求めた前記電流値に応じて前記定着用電源による電力供給を制御する電力制御手段と、
を有することを特徴とする画像形成装置。
【請求項１３】
電圧変成器の二次側に直列に接続された整流ダイオードに印加される電圧を入力し、当該電圧に対応する電圧信号を生成する電圧波形検出工程と、
前記電圧波形検出工程で生成された前記電圧信号の電圧値に基づいて、前記電圧変成器の一次側に入力される電圧値を算出する制御工程と、
を有することを特徴とするスイッチング電源の制御方法。
【請求項１４】
前記電圧波形検出工程は、
前記整流ダイオードに印加される電圧を入力して増幅回路により増幅する工程と、
前記増幅する工程の出力を保持する保持工程とを有することを特徴とする請求項１３に記載のスイッチング電源の制御方法。
【請求項１５】
前記制御工程では、前記電圧信号の電圧値をＶvpとし、前記電圧変成器の一次側に入力される電圧値をＶinとすると、
Ｖin＝Ｎ1×Ｖvp／√２×αＮ2  （但し、Ｎ1，Ｎ2は前記電圧変成器の一次側巻数、二次側巻数、αは前記増幅回路のゲインである）
により算出することを特徴とする請求項１４に記載のスイッチング電源の制御方法。
【請求項１６】
電圧変成器の二次側に直列に接続された整流ダイオードに印加される電圧を入力してクランプする工程と、
前記クランプされた電圧信号を入力して積分回路により積分する積分工程と、
前記電圧変成器の一次側に入力される電圧値と、前記積分回路により積分された電圧信号の周期に基づいて、前記電圧変成器の一次側に入力される電流値を算出する第２制御工程とを更に有することを特徴とする請求項１３に記載のスイッチング電源の制御方法。
【請求項１７】
前記第２制御工程は、前記電圧変成器の一次側に入力される電圧値をＶin、前記積分回路により積分された電圧信号の電圧値Ｖiin、前記クランプ回路によるクランプ電圧値Ｖzとすると、前記入力される電流値Ｉinを、
Ｉin＝√２Ｖin×ｔ2×Ｖiin2／２Ｌ1×β2Ｖz2  （但し、Ｌ1は前記電圧変成器の一次インダクタンス、βは前記積分回路のゲイン、ｔ2は前記電圧信号の周期である）
により算出することを特徴とする請求項１６に記載のスイッチング電源の制御方法。
【請求項１８】
電圧変成器の二次側に直列に接続された整流ダイオードに印加される電圧のパルス幅を計測する計時工程と、
前記電圧変成器の二次側の出力電圧と、前記計時工程により計測された前記パルス幅とに基づいて、前記電圧変成器の二次側の出力電流値を算出する制御工程と、
を有することを特徴とするスイッチング電源の制御方法。
【請求項１９】
前記制御工程は、前記電圧変成器の二次インダクタンスＬ2、前記二次側の出力電圧Ｖout、前記パルス幅をｔ3、周期をｔ2としたとき前記出力電流値Ｉoutを、
Ｉout＝（Ｖout＋Ｖf）×ｔ32／２Ｌ2×ｔ2  （但し、Ｖfは前記整流ダイオードの順電圧である）
により算出することを特徴とする請求項１８に記載のスイッチング電源の制御方法。
【請求項２０】
前記電圧波形検出工程は、前記整流ダイオードのアノードに印加される電圧の負のピーク電圧値を検出することを特徴とする請求項１３乃至１５のいずれか１項に記載のスイッチング電源の制御方法。
【請求項２１】
前記電圧波形検出工程は、前記整流ダイオードのアノードに印加される電圧の負のパルス幅を検出することを特徴とする請求項１６又は１７に記載のスイッチング電源の制御方法。
【請求項２２】
前記計時工程は、前記整流ダイオードのアノードに印加される電圧の正のパルス幅を検出することを特徴とする請求項１８に記載のスイッチング電源の制御方法。
【請求項２３】
前記スイッチング電源は、フライバック方式で電力の変換を行うことを特徴とする請求項１３乃至２２のいずれか１項に記載のスイッチング電源の制御方法。
【請求項２４】
記録媒体上に形成されたトナー画像を熱によって定着させる定着ユニットと、前記定着ユニットに電力を供給する定着用電源と、画像形成動作を行うアクチュエータと、前記アクチュエータに電力を供給するためのスイッチング電源とを有する画像形成装置の制御方法であって、
前記スイッチング電源に入力される電流値を求める演算工程と、
前記演算工程で求めた前記電流値に応じて前記定着用電源による電力供給を制御する電力制御工程と、
を有することを特徴とする画像形成装置の制御方法。